Podtech/llm-jp-corpus-v4-ja_patent huggingface dataset:
(57)【要約】【課題】従来の空気調和機の風向変更羽根の位置検出方法では、アナログ出力信号をＡＤポートに入力し一定時間でサンプリングしているため、停止させようとする位置から大きくずれてしまうという課題があった。【解決手段】フォトセンサー１と、羽根を駆動するモータに同期して回転しフォトセンサー１の出力をパルス信号に変換するためのスリットを有する位置検出器４を設けることにより、空気調和機の羽根を任意の位置に停止させることができる。【選択図】図１
2008185260.tif 000002
【特許請求の範囲】
【請求項１】
空気調和機に取付けられたモータにより駆動される風向変更用の羽根の位置を検知するフォトセンサーと、前記モータに同期して回転しフォトセンサーの出力信号をパルス信号に変換するためのスリットを有する位置検出器を備えたことを特徴とする空気調和機。
【発明の詳細な説明】
【技術分野】
【０００１】
本発明は、空気調和機のモータにより駆動された羽根の任意の位置を検出することができる空気調和機に関するものである。
【背景技術】
【０００２】
従来、この種の空気調和機の位置検出は、モータにより駆動させられた羽根の位置を検出するフォトセンサー１の出力を制御基板２内のマイクロコントローラー３に入力し、羽根の位置を検出している（例えば、特許文献１参照）。
【０００３】
図４は、特許文献１に記載された従来の空気調和機に設置された位置検出器の回路図、図５はその構成を示す配置図である。フォトセンサー１の出力信号を直接入力させ、任意の位置に羽根を停止させている。
【特許文献１】特開平９−１７８２５９号公報
【発明の開示】
【発明が解決しようとする課題】
【０００４】
しかしながら、前記従来の構成では、フォトセンサー１の出力信号は、モータに備えた位置検出器４により任意の位置でフォトセンサー１の信号をＯＮ／ＯＦＦしている。フォトセンサー１からの出力はアナログ信号で、図６のような特性を示すため、マイクロコントローラー３の入力ポートは、ＡＤ入力ポートとする必要がある。ＡＤポートでは、一定時間でサンプリングをしているため、閾値電圧を検出して羽根を停止させようとしても、既に本来停止すべき位置から大きくズレてしまうという課題を有していた。
【０００５】
本発明は、前記従来の課題を解決するもので、羽根の位置ズレを少なくして停止させることができる空気調和機を提供することを目的とする。
【課題を解決するための手段】
【０００６】
前記従来の課題を解決するために、本発明の空気調和機は、フォトセンサーの出力信号を、モータと同期して動作する位置検出器によって出力信号をＯＮ／ＯＦＦさせ、マイクロコントローラーにパルス信号を入力させ、羽根の停止位置を検出させる。
【０００７】
これによって、空気調和機の羽根を任意の位置で、ズレを少なく安定に停止させることができる。
【発明の効果】
【０００８】
本発明の空気調和機は、風向変更用の羽根を任意の位置で、正確に安定的に停止させることができる。
【発明を実施するための最良の形態】
【０００９】
本発明は、空気調和機の羽根の位置を検出するフォトセンサーとモータを同期して回転する位置検出器にフォトセンサーの出力信号をパルス信号に変換する装置を設ける。
【００１０】
以下、本発明の実施の形態について、図面を参照しながら説明する。なお、この実施の形態によって本発明が限定されるものではない。
【００１１】
（実施の形態１）
図１は、本発明の第１の実施の形態における回路図を示す。図２は、フォトセンサー１
と位置検出器４との配置図である。図３は、フォトセンサー１の出力信号と位置検出器４の出力信号の特性グラフである。
【００１２】
空気調和機に設置されている上下羽根は、ステッピングモータにより駆動され任意の位置まで移動する。任意の位置を検出するためにフォトセンサー１とモータに同期して回転する位置検出器４が設けられており、フォトセンサー１の出力信号は、位置検出器４に設けられたスリット５によりＯＮ／ＯＦＦされマイクロコントローラー３にパルス信号として入力される。マイクロコントローラー３は、パルスをカウントすることにより、停止位置を検出する。停止位置を検出すると、上下羽根を任意の位置で安定的に停止させることができる。
【産業上の利用可能性】
【００１３】
以上のように、本発明は、フォトセンサーによる位置検出機能のある空気調和機以外の機器の用途にも適用できる。
【図面の簡単な説明】
【００１４】
【図１】本発明の実施の形態１における位置検出器の回路構成図
【図２】本発明の実施の形態１における位置検出器の配置図
【図３】本発明の実施の形態１における位置検出器の特性図
【図４】従来の位置検出器の回路構成図
【図５】従来の位置検出器の配置図
【図６】従来の位置検出器の特性図
【符号の説明】
【００１５】
１  フォトセンサー
２  制御基板
３  マイクロコントローラー
４  位置検出器
５  スリット
【図１】
2008185260.tif 000003
【図２】
2008185260.tif 000004
【図３】
2008185260.tif 000005
【図４】
2008185260.tif 000006
【図５】
2008185260.tif 000007
【図６】
2008185260.tif 000008
(57)【要約】【課題】  冷蔵庫内部の野菜室や冷凍室などを用途別に単体の冷蔵庫とし、必要な冷蔵庫だけを組み合わせたり、必要に応じて容量をふやしたり収納庫としても組み合わせて利用もできる増室用ボックスを取り付けられるようにした冷蔵庫及び増室用ボックスを提供する。【解決手段】  冷蔵庫内部の野菜室や冷凍室などを用途別に単体の冷蔵庫▲１▼とし、冷却機能を持たない増室用ボックス▲２▼とともに上下左右と背後に吸気口▲３▼と送風口▲４▼を設けて隣接する冷蔵庫▲１▼どうしや、冷蔵庫▲１▼と増室用ボックス▲２▼を吸気口▲３▼と送風口▲４▼の内側についてあるメネジ▲６▼と接続固定用のオネジ▲７▼のついた管を締めて接続固定して冷気を流して冷蔵庫の容量を増やせるようにして、さらに冷蔵庫▲１▼と増室用ボックス▲２▼を一体化できるようにしたことを特徴とする。【選択図】図３
2008185326.tif 000002
【特許請求の範囲】
【請求項１】
（イ）冷蔵庫内部の冷蔵室や野菜室、冷凍室などに分類されている各室を、用途別にした単体の冷蔵庫にして各々の冷蔵庫を上下左右にと接続固定できるようにする。
（ロ）単体の冷蔵庫に通気口として吸気口と送風口を設けて、互いに冷気がながれて接続固定できるようにする。
（ハ）単体の冷蔵庫から冷却機能を持たない増室用ボックスに冷気が流れるように接続固定して冷蔵庫として使用できるようにする。
以上の構成よりなるサイコロユニットボックス式冷蔵庫。
【発明の詳細な説明】
【技術分野】
【０００１】この発明は、冷蔵庫内部の冷蔵室、野菜室、冷凍室などを用途別に個別化して単体の冷蔵庫にし、冷却機能を持たない増室用ボックスと各々の冷蔵庫の上下左右と背後に冷気が流れるように吸気口と送風口を設けて冷蔵庫や増室用ボックスを上下左右と自由に接続固定できるようにしたサイコロユニットボックス式冷蔵庫である。
【背景技術】
【０００２】従来、家庭用冷蔵庫に大きさや容量に差異はあっても、必要とする部屋を増室して容量を増やしたり並べ替えて配置を換えたりはできず、冷蔵室や冷凍室などの各室は一体となっていた。
【発明の開示】
【発明が解決しようとする課題】
【０００３】これは、次のような欠点があった。
従来、冷蔵庫の容量には限りがあり必要とする室を広げることも出来ず、買いすぎたり作りすぎたときその室に満足に収納することができなかったり、押し込んで入れてかさ張り整理できずに材料を見つけにくく、ドアを開け放して探すこともあり不経済でもあった。
また、台所では冷蔵庫の配置場所が限られるケースが多く大型の冷蔵庫を置けなかったり、食器棚などの他の家具との配置取りやバランスなどでバラツキが出たり家具や冷蔵庫のいずれかが満足に置けなかったりした。
本発明は、以上のような欠点をなくすためになされたものである。
【課題を解決するための手段】
【０００４】冷蔵庫内部の野菜室や冷凍室、冷蔵室などを用途別に個別化して単体の冷蔵庫▲１▼にし、また冷却機能を持たない増室用ボックス▲２▼も冷蔵庫として使用できるように冷蔵庫▲１▼と共に上下左右及び背後に吸気口▲３▼と送風口▲４▼を設けて冷気が流れるようにし、必要とする冷蔵庫▲１▼や増室用ボックス▲２▼で、台所での配置を考慮して上下左右にと接続固定して組み立てが出来るようにしたものである。
また、増室用ボックス▲２▼に収納庫などとしても使用できるように吸気口▲３▼と送風口▲４▼に蓋▲５▼を取り付けられるようにした。
本発明は、以上の構成よりなるサイコロユニットボックス式冷蔵庫である。
【発明の効果】
【０００５】冷蔵庫の内部が用途別に単体のものとなるので同種類外の冷蔵庫に接続固定しても蓋を閉めて通気を止めると冷蔵庫の中の匂いを抑えることが出来る。また、冷蔵庫室内の容量を増やしたい場合には必要とする冷蔵室の冷蔵庫に増室用ボックスを接続固定して増やすことが出来、また増室用ボックスは収納庫や食器棚などとしても通気口に蓋をして利用できるので使い勝手にあわせて自由に上下左右にと配置が出来き、また、流し台と高さや奥行きのサイズを合わせれば台所が統一されて整然とすることと、今後台所の設計やリフォームをする上でもプランが立てやすくなる。また必要とする冷蔵庫や増室用ボックスのみを配置することができるので経済的である。
【発明を実施するための最良の形態】
【０００６】以下、本発明を実施するための最良の形態について説明する。
冷蔵庫の室内を用途別に個別化して単体の冷蔵庫▲１▼とし、冷却機能を持たない増室用ボックス▲２▼と冷蔵庫▲１▼の上下左右と背後に吸気口▲３▼とファンを取り付けた送風口▲４▼及び蓋▲５▼を設け、吸気口▲３▼と送風口▲４▼の内側にメネジ▲６▼を作り、隣接する冷蔵庫▲１▼同士や増室用ボックス▲２▼を管状のオネジ▲７▼で締めて接続固定する。
吸気口▲３▼と送風口▲４▼が隣接しない冷蔵庫▲１▼や増室用ボックス▲２▼は、互いの背後にある吸気口▲３▼と送風口▲４▼をホース▲８▼で接続する。
増室用ボックス▲２▼を接続固定してから吸気口▲３▼と送風口▲４▼に蓋▲５▼をして、冷気の流れを止めて収納庫や食器棚としても活用できるようにする。
冷蔵庫▲１▼や増室用ボックス▲２▼のサイズを流し台に合わせて並べて置けるようなサイズも用意する。
本発明は、以上のような構造でこれを使用するときは、必要とする冷蔵庫▲１▼や増室用ボックス▲２▼を使い勝手に合わせて自由に上下左右にと組み合わせ、またカウンター▲９▼を取り付けて物や電化製品を置いたり、流し台の横に並べて置いてその上にカウンター▲９▼を取り付けて作業が出来るようしたり、またその周りや背面をカラーボード▲１０▼などで囲んで全体を固定することで、流し台、冷蔵庫、収納庫、食器棚と台所全体に統一感が出来て整然とする。
【図面の簡単な説明】
【０００７】
【図１】本発明の正面の斜視図である。
【図２】本発明の背面の斜視図である。
【図３】本発明を一体化に組み立てた斜視図である。
【図４】本発明の斜視図である。
【符号の説明】
【０００８】  １    冷蔵庫
２    増室用ボックス
３    吸気口
４    排気口
５    蓋
６    メネジ
７    オネジ
８    ホース
９    カウンター
１０    カラーボード
【図１】
2008185326.tif 000003
【図２】
2008185326.tif 000004
【図３】
2008185326.tif 000005
【図４】
2008185326.tif 000006
(57)【要約】【課題】  空気調和機の室外機から放出される熱風を利用して、水を温め光熱費を削減すると共に、熱風を冷却して、大気への熱負荷を軽減する室外機を提供する。【解決手段】  光熱費の削減及び大気への熱負荷を軽減するために、室外機の吹き出し口１４側の前面に熱交換コイルを設けると共に、室外機のファンだけが単独運転できる回路を備えたことを特徴とする空気調和機の室外機である。【選択図】図３
2008185325.tif 000002
【特許請求の範囲】
【請求項１】
空気調和機の室外機において、吹き出し口側の前面に熱交換コイルを設けることを、特徴とする空気調和機の室外機。
【請求項２】
空気調和機の室外機において、ファンだけが単独運転できる回路を備えたことを特徴とする空気調和機。
【発明の詳細な説明】
【技術分野】
【０００１】  本発明は、光熱費の削減及び大気への熱負荷を軽減することを図った空気調和機の室外機に関する。
【背景技術】
【０００２】  従来の空気調和機の室外機は、冷房運転において外部の空気を熱交換器により加熱し、加熱した空気はファンによって、熱風となり吹き出し口から大気中へ放出していた。
【発明の開示】
【発明が解決しようとする課題】
【０００３】    そのために次のような問題点があった。
（イ）空気調和機の室外機の吹き出し口から放出される熱風は、大気温度を上昇させ地球温暖化の原因の１つになっている。
（ロ）空気調和機の室外機の吹き出し口から放出される熱風を、有効利用していない。
（ハ）空気調和機の室外機は、冷暖房除湿以外では、使用していない。
本発明は、以上の問題を解決するためのものである。
【課題を解決するための手段】
【０００４】  本発明は、上記の課題（イ）及び（ロ）を解決するために空気調和機の室外機において、吹き出し口側の前面に熱交換コイルを設ける。
上記の課題（ハ）を解決するために空気調和機の室外機において、ファンだけが単独運転できる回路を備えたものである。
【発明の効果】
【０００５】  空気調和機の室外機の冷房運転において、吸い込み側の熱交換器で加熱された空気は、吹き出し口側の前面の熱交換器コイルの内部の水道水により冷却される。
冷却された空気が、大気へ放出されるので大気への熱負荷を軽減する。
逆に、吹き出し口側の前面の熱交換コイルの内部の水道水は、加熱された空気により、水道水は温まりお湯になる。温まったお湯は、浴槽・給湯等に使用することにより光熱費の削減になる。
また、室外機を使用しない時、外気温度が水道水温より高い場合、室外機ファンを単独運転すると同時に、熱交換コイルへ水道水を送水することにより、水道水は外気の空気により温まり、水温は上昇するので、熱交換コイルを通さずに直接水道水を浴槽・給湯等に給水するよりも、光熱費の削減になる。
【発明を実施するための最良の形態】
【０００６】  以下、本発明の実施するための形態を図１〜図３に基づいて説明する。【０００７】  空気調和機の室外機は、第１図に示すような構成になっている。
室外機本体１の内部には仕切り板２で区画した熱交換室３と機械室４がある。熱交換室３には、熱交換器５とファンモータ６で回転するファン７があり、機械室４には圧縮機８がある。熱交換コイル９は、第３図に示すように、吹き出し口１４側前面に設けられている。熱交換コイル９は、第２図に示すような構成になっている。
複数枚並設されているアルミニウムフィン１０に蛇行状に貫通している伝熱管１１と伝熱管１１の内部に水道水を送水する為の水道水入口１３及び水道水出口１２がある。この様な構成された室外機で、冷房運転において、ファン７が回転すると、空気は熱交換器３を通過することにより加熱され、熱風となって、熱交換コイル９へ送風される。熱交換コイル９において、外気温度より低い水温の水道水を水道水入口１３から伝熱管１１へ送水することにより、熱風はアルミニウムフィン１０及び伝熱管１１に接触することにより、冷却され大気中へ放出されるので、大気への熱負荷は、軽減する。
逆に、吹き出し口１４側の前面の伝熱管１１の内部の水道水は、加熱された空気により温まる。温まった水道水は、浴槽・給湯等に使用することにより光熱費の削減になる。
また、室外機を使用しない時、外気温度が水道水温より高い場合、室外機ファン７を単独運転すると同時に、熱交換コイル９の伝熱管１１へ水道水入口１３から水道水を送水することにより、伝熱管１１の内部の水道水は外気の空気により温まり、水道水温は上昇する。水温が上昇した水道水を、水道出口１２より、浴槽・給湯等へ使用する。
【図面の簡単な説明】
【０００８】
【図１】本発明の実施形態を示す室外機の断面図
【図２】熱交換器コイルの斜視図
【図３】本発明の実施形態を示す室外機の斜視図
【符号の説明】
【０００９】  １本体
２仕切り板
３熱交換器室
４機械室
５熱交換器
６ファンモータ
７ファン
８圧縮機
９熱交換コイル
１０アルミニュウムフィン
１１伝熱管
１２水道水出口
１３水道水入口
１４吹き出し口
【図１】
2008185325.tif 000003
【図２】
2008185325.tif 000004
【図３】
2008185325.tif 000005
(57)【要約】【課題】  チップ実装部品の回転方向のズレを解決するとともに、実装密度の高い回路基板を実現すること。【解決手段】  チップ部品の外部電極と、表面に形成されたランド部がリフロー半田により接続された回路基板において、チップ部品の本体幅とランド部の幅を等しくすることとした。【選択図】  図１
2008211151.tif 000002
【特許請求の範囲】
【請求項１】
チップ部品の外部電極と、表面に形成されたランド部がリフロー半田により接続された回路基板において、
前記チップ部品の本体幅と前記ランド部の幅が等しいことを特徴とする回路基板。
【請求項２】
チップ部品の外部電極と、表面に形成されたランド部がリフロー半田により接続された回路基板と液晶パネルを備える液晶表示装置において、
前記チップ部品の本体幅と前記ランド部の幅が等しいことを特徴とする液晶表示装置。
【請求項３】
前記チップ部品がＬＥＤ素子であり、前記ＬＥＤ素子と対向するように入光面が設けられた導光板を備えることを特徴とする液晶表示装置。
【発明の詳細な説明】
【技術分野】
【０００１】
本発明は、チップ部品が実装された回路基板、及びこれを有する電子機器に関する。詳しくは、回路基板に形成する実装用のフットパターンに関する。
【背景技術】
【０００２】
市場で流通している液晶表示装置等の電子機器では、一般に、回路基板にチップ部品を実装する場合、チップ部品の外部電極を回路基板上に形成された導電パターンのランド部に半田付け固定することにより行われている。チップ部品の外部電極は部品本体の端部を覆うように形成されている。このようなチップ部品はこの部品本体の端部面に設けられた電極部分で半田付け固定することから、導電パターンのランド部は、搭載される部品本体の外郭縁より側方に広げて回路基板上に形成されている。そして、通常の回路基板設計において、実装部品の半田フィレットが十分形成される様に、さらにクリアランスを取った設計となっている。このような従来のチップ部品と基板上のパターンとの関係を図２に示す。チップ部品１には、部品本体１３の端部を覆うよう一対の外部電極１１，１２が形成されている。回路基板には複数のチップ部品１が同方向に配列して実装される。チップ部品間にパターン４が配線されることもある。そして、チップ部品１を半田実装するため、回路基板には外部電極に対応してランド部３が形成されている。ランド部３の幅は部品本体１３の幅より大きく、また、半田フィレットを形成して接合強度が向上するようにクリアランスｄを持って形成されている。
【発明の開示】
【発明が解決しようとする課題】
【０００３】
従来の構成では、図２で示すようにチップ部品の幅に比べてランドの幅が大きいため、基板上にチップ部品を載せたときには正しく配置されたとしても、リフロー時の半田の流動によりチップ部品が動いて傾いてしまうことがあった。すなわち、チップ部品とランド部のクリアランスｄは部品実装時のリフローによる半田フィレット作成の為の範囲になるものの、半田の流動時の部品傾きや位置ずれの範囲ともなる。そのため、光源やスイッチ等、他の構成部品（例えば、導光体やフレーム、窓枠など）と密接な位置関係がある部品に関しては、この部品の許容寸法を拡大し部品を受ける必要が発生していた。そのため、このような部品の周囲に密接して他のチップ部品を配置することができず、素子部品と素子部品の間隔を狭くすることに限界があった。つまり、クリアランスｄがあるため、パターン４の幅、パターン４とランド部のフットパターンとのパターンクリアランスａを変更しなければ、部品間隔ｃを狭めることが出来ない。
【課題を解決するための手段】
【０００４】
そこで、本発明は、チップ部品の外部電極と、表面に形成されたランド部がリフロー半田により接続された回路基板において、チップ部品の本体幅とランド部の幅を等しくすることとした。また、このような回路基板を用いて液晶表示装置等の電子機器を構成した。
【０００５】
さらに、本発明の液晶表示装置は、チップ部品の外部電極と、表面に形成されたランド部がリフロー半田により接続された回路基板と液晶パネルを備えており、チップ部品の本体幅とランド部の幅を等しくした。特に、チップ部品がＬＥＤ素子であり、ＬＥＤ素子と対向するように入光面が設けられた導光板を備える構成で特別の効果が得られる。
【発明の効果】
【０００６】
部品の周辺クリアランスがなくなることで、部品の傾き等を規制する効果がある。この事により、光源等の実装品に対しての構造部品をよりマージンの少ない設計ができる。
【発明を実施するための最良の形態】
【０００７】
本発明の回路基板を図１に模式的に示す。図１は、回路基板上のチップ部品と配線パターンのランド部との関係を説明する部分平面図である。回路基板上にはチップ部品１の外部電極１１，１２に対応してランド部３が形成されている。ここで、ランド部３の幅がチップ部品の本体１３の幅と等しくなるように構成した。このように、ランド部やフットパターンをチップ部品の本体部と同じ幅にする事で、図２中のクリアランスｄを２つ分削除することができる。これにより、チップ実装部品の回転方向のズレを規制すると共に、パターン４とフットパターンの間隔を変更することなく実装部品間の距離をつめることが出来る。すなわち、基板上にチップ部品を高い実装密度で、しかも高い位置精度で組み込むことが出来る。
【実施例】
【０００８】
上述のように、ランド部の幅がチップ部品の本体の幅と等しくなるように構成した回路基板を液晶表示装置に用いた実施例を以下に説明する。液晶パネルは非自発光型のため、これを照明する照明装置が必要である。この照明装置としてＬＥＤ光源の発光を導光体により面発光させる構成が知られている。ＬＥＤ光源はチップ部品で形成されているが、導光体との位置制度が必要になる。そのため、本発明の技術をＬＥＤチップの実装に関して適用することにより、照明装置の輝度ムラや発光利用効率の向上という点でも効果が得られる。すなわち、ＬＥＤチップを実装した回路基板を表示装置の内部に配置する場合に、導光体とＬＥＤチップ部品を高い精度で組み込むことが出来る。
【図面の簡単な説明】
【０００９】
【図１】本発明の部品実装を説明する上視図である。
【図２】従来の部品実装を説明する上視図である。
【符号の説明】
【００１０】
１  チップ部品
３  ランド部
４  パターン
１１、１２  外部電極
１３  本体部
【図１】
2008211151.tif 000003
【図２】
2008211151.tif 000004
(57)【要約】      （修正有）【課題】接続されたフレキシブル基板に、実装部品や配線パターンから外乱ノイズが飛び込んだりするノイズ放射を防止する表示装置を提供する。【解決手段】信号が入力されるコネクタ部７を除いて、フレキシブル基板６ａを覆うように、全面に導電層が形成されたフィルム状部材により、部品４及び配線パターンをＧＮＤベタパターンにより表面・裏面からサンドイッチ構造に包み込む。ＧＮＤベタパターンはＧＮＤに接続された金属箔３で構成した。【選択図】図１
2008211033.tif 000002
【特許請求の範囲】
【請求項１】
回路部品を実装したＦＰＣが表示素子に接続された表示装置において、
前記ＦＰＣには外部から信号が入力されるコネクタ部が形成され、
前記コネクタ部を除いて前記ＦＰＣを覆うように全面に導電層が形成されたフィルム状部材が設けられたことを特徴とする表示装置。
【請求項２】
前記フィルム状部材は、前記ＦＰＣと接触する部分に絶縁処理が施された金属箔であることを特徴とする請求項１に記載の表示装置。
【請求項３】
前記フィルム状部材は、前記ＦＰＣと接触する部分に絶縁処理が施されたことを特徴とする請求項１に記載の表示装置。
【請求項４】
前記フィルム状部材は、前記ＦＰＣの表側に折り曲げられる第一の部分と、前記ＦＰＣの裏面に接続される第二の部分と、前記ＦＰＣの裏側に折り曲げられる第三の部分を備えており、前記第一の部分と前記第二の部分には、この二つの部分を接続するために絶縁処理が施されていない接合電極が形成されたことを特徴とする請求項２または３に記載の表示装置。
【請求項５】
前記第一の部分と前記第二の部分、前記第二の部分と前記第三の部分のそれぞれの境界に切り欠きが形成されたことを特徴とする請求項４に記載の表示装置。
【発明の詳細な説明】
【技術分野】
【０００１】
本発明は、表示素子にフレキシブルプリント基板（以下ＦＰＣと呼ぶ）が接続された構成の表示素子に関し、特に、ＦＰＣ基板への外乱ノイズを防止する表示装置の構造に関する。
【背景技術】
【０００２】
携帯電話等に搭載する小型の液晶モジュールでは、片面に回路が構成された片面ＦＰＣ（１層ＦＰＣ）や両面に回路が構成された両面ＦＰＣ（２層ＦＰＣ）が用いられている。片面ＦＰＣの場合、配線パターンと部品が一方の面に実装され、両面ＦＰＣの場合では配線パターンと部品が一方の面に実装され、他方の面に配線パターンが設けられた構造になっている。携帯電話の小型化に伴い、ＦＰＣのサイズも小さくなってきているが電子部品の数は減らないので両面ＦＰＣを使用することが非常に増えてきている。
【０００３】
市井で一般に入手できる表示装置の構成を図２に模式的に示す。表示パネル１を構成する基板上にドライバＩＣ２が実装されている。そして、駆動に必要な実装部品４が搭載されたＦＰＣ６ｂが表示パネルに接続される。ＦＰＣ６ｂには、実装部品やドライバＩＣ４に外部からの信号を入力するためにコネクタ部７が設けられている。そしてコネクタからの信号を実装部品４やドライバＩＣ２に供給するために図示しない配線がＦＰＣ６ｂ上の片面または両面に設けられている。
【発明の開示】
【発明が解決しようとする課題】
【０００４】
図２に示した従来の表示装置では、実装部品の数は減らさずにＦＰＣのサイズを小さくしようとすると、充分なＧＮＤを取ることが困難になる。そのため、従来のＦＰＣの構成では、実装部品や配線パターンへの外乱ノイズの飛び込みを防ぐこと、あるいは、逆に外部へのノイズ放射を完全に防ぐことが難しかった。このため、外部からの静電気により、動作不良や故障が発生した。また、このような表示素子を携帯電話などの通信機器に搭載する場合に、ＦＰＣから発生する放射電磁ノイズにより受信感度が低減するという問題があった。
【課題を解決するための手段】
【０００５】
本発明の表示装置は、回路部品を実装したＦＰＣが表示素子に接続された表示装置であって、ＦＰＣには外部から信号が入力されるコネクタ部が形成されており、このコネクタ部を除いてＦＰＣを覆うように全面に導電層が形成されたフィルム状部材が設けられている。また、このフィルム状部材を、ＦＰＣと接触する部分に絶縁処理が施された金属箔で形成した。すなわち、ＦＰＣの部品及び配線パターン部分を金属箔でサンドイッチ構造に包み込むこととした。
【発明の効果】
【０００６】
外乱ノイズを防ぐことが可能になり、機能不良・動作不良を改善することができる。
【発明を実施するための最良の形態】
【０００７】
本発明の表示装置は、回路部品を実装するとともに外部から信号が入力されるコネクタ部が形成されたＦＰＣが表示素子に接続された表示装置であって、コネクタ部を除いてＦＰＣを覆うように全面に導電層が形成されたフィルム状部材が設けられている。さらに、フィルム状部材として、ＦＰＣと接触する部分に絶縁処理が施された金属箔を用いた。あるいは、ＦＰＣと接触する部分のフィルム状部材に絶縁処理を施すこととした。
【０００８】
さらに、フィルム状部材を、ＦＰＣの表側に折り曲げられる第一の部分と、ＦＰＣの裏面に接続される第二の部分と、ＦＰＣの裏側に折り曲げられる第三の部分で構成し、第一の部分と第二の部分には、この二つの部分を接続するために絶縁処理が施されていない接合電極を形成することとした。
【実施例】
【０００９】
本発明の液晶表示装置を図１と図２を用いて説明する。図１はＦＰＣ６ａを包むための金属箔３を配置した状態を示す。金属箔３はそれぞれがほぼ同じ面積を持つ３つの部分５ａ、５ｂ、５ｃで構成されており、それぞれの境界で折り曲げられるようになっている。図２に金属箔を折り曲げた状態の断面図を模式的に示す。図示するように、折曲げる部位には両側に切り欠きが入れられている。各部分はＦＰＣ６ａより少し大きくなっており、折り曲げたときに第一の部分５ａと第二の部分５ｂを接続するように、金属箔が露出した接合電極３ａと３ｂが設けられている。接合には、導電性接着剤や半田付け、溶接を用いてもよい。第三の部分５ｃはＦＰＣの裏側に折り曲げられ、接着剤８または粘着テープにて第二の部分５ｂに貼り付ける。接着剤ではなく、前述の接合電極を設けて接続しても良い。
【００１０】
そして、この金属箔をＦＰＣ上のＧＮＤまたは機器本体のＧＮＤに接続することで金属箔全体がＧＮＤベタパターンとしての機能を有することになる。このように、ＦＰＣの実装部品及び配線パターン部分を金属箔でサンドイッチ構造に包み込むことにより、実装部品を保護することができ、はんだクラックを防ぐことができる。さらに、ＦＰＣを難燃性物質（ＵＬ規格対応品）にすることによって電子部品が発火源になったとしても燃え広がることを抑えることができる。またＦＰＣの回路からでる放射電磁ノイズを抑えることもでき携帯電話の受信感度が向上する。
【図面の簡単な説明】
【００１１】
【図１】本発明の表示装置の構成を模式的に示す図である。
【図２】従来のＦＰＣを有する表示装置の構成を模式的に示す図である。
【図３】本発明に用いたＦＰＣの構成を模式的に示す断面図である。
【符号の説明】
【００１２】
１  液晶パネル
２  ドライバＩＣ
３  金属箔
４  実装部品
６ａ  ＦＰＣ
７  コネクタ
８  接着剤
【図１】
2008211033.tif 000003
【図２】
2008211033.tif 000004
【図３】
2008211033.tif 000005
(57)【要約】従来の大型で高価な交流電源安定装置を安価で極小にし更に性能を上げる事を目的とし出力、機能、制御等の効率アップと省エネ効果を生み出す発明【課題】従来の最小型でも図１の（２）の▲１▼の様な大きさを極小図１の（２）の▲２▼の様にし且つ最小価格にし出力、機能、制御等の効率アップで省エネ効果を生み出す課題【解決手段】従来の様に交流電源で稼動する電気機器は交流電源安定装置でなければ出来ないと言う規制概念を覆し現在社会で使用している殆どの交流電源で稼動している電気機器には直流電源域が内蔵されている事に着眼し直流電源域に直流電源安定装置の直接接続を施す手段によって達成させた物【特許請求の範囲】
【請求項１】
パソコンや電化製品のほとんどは交流（１００ボルト〜２００ボルト）家庭用コンセントで動いていますが、実は製品内部では直流（１２ボルト）前後で稼動している商品が殆どを占めています。そこでこのカレントアームスは従来の（１００ボルト〜２００ボルト）交流域での安定処理をするのではなく、製品内部の直流（１２ボルト）に直接接続することにより大幅に装置のコストダウン、小型化、電源ノイズの軽減、省エネを実現しました。
パソコン及び直流電気機器電源安定装置（カレントアームス）
パソコン及びあらゆる交流電源で稼動している電気機器で直流電源域が内蔵されている全ての機器に汎用出来る直流電源安定装置（カレントアームス）を直接接続する唯みで出力、制御、機能等全てに能力アップが見込める発明。
従来の様に交流電源で稼動する電気機器は交流電源安定装置でなければ出来ないと言う規制概念を覆し現在社会で使用している殆どの交流電源で稼動している電気機器には直流電源域が内蔵されている事に着眼し直流電源域に直流電源安定装置の直接接続を施す手段によって達成させた物
【発明の詳細な説明】
【技術分野】
【０００１】本発明は、パソコンや電化製品のほとんどは交流（１００ボルト〜２００ボルト）家庭用コンセントで動いていますが、実は製品内部では直流（１２ボルト）前後で稼動している商品が殆どを占めています。そこでこのカレントアームスは従来の（１００ボルト〜２００ボルト）交流域での安定処理をするのではなく製品内部の直流（１２ボルト）に直接接続することにより大幅に装置のコストダウン、性能アップ、小型化、電源ノイズの軽減、省エネを実現
しました。
【背景技術】
【０００２】従来の電源安定装置は交流部分で処理するタイプなので装置自体が大型でしかも、コストが高く確実に効果を得れる物になると実売価格１０万以上、高い物になると１００万と言うような製品になってしまい一般家庭にはあまり認識の薄い商品がほとんどでした。しかしながら、効果は絶大で専門業者や一部のマニアのなかでは高価ながら親しまれていました。そこでこのカレントアームスはコスト面、ロングライフ、小型化、省エネ、効率アップ、全てにおいて更なる効果を確立することに成功致しました。
【発明の開示】
【発明が解決しようとする課題】従来の安定化装置で成し得なかった大幅な装置のコストダウン、小型化、従来機材以上の性能アップ電源ノイズの軽減省エネ電気機器の安定動作を課題として製作考案致しました。
【課題を解決するための手段】家庭電源コンセント交流域（１００ボルト〜２００ボルト）の部分で安定処理す高価で複雑で大型な従来の方法ではなく、カレントアームスは大事な回路に電気が流れる直前の直流域（１２ボルト）の部分で安定処理する為、卒のない処理が出来確実に効果を出せ単純な回路構成による従来型の百分の一以上とも言える小型化そして、単純構成回路により高品質なパーツで構成されているにも関わらず長寿命でしかも大変安価に出来上がります。
この様なパーフェクトな特徴を兼ね備えまさに、百利あって一害なしと言う夢の様なパーツです。
【発明の効果】
【０００１】本発明は次のような効果を奏する。
各種家電製品が持つ各機能をフルに発揮出来＋αの効果
（例）パソコンでは  一目で判る画面の鮮明化効果
性能テストでは１割アッブの効果
画面の切り替わりの速度が数段の速さに成る効果
パソコンでの効果に見る様に家庭製品にも同じ効果を発揮出来る物である。【０００２】一般にはあまり知られていませんが、皆様が当然の様に使われている家庭電源（コンセント）には実は多種多様な電源ノイズ、不害な電波、いわゆる電気の中に含まれるゴミの様な存在が常に流れていてその不必要な電源ノイズや電波によって家電製品が誤作動を起こします。
（例）電気制御付きストーブがこのノイズや悪性電波により自然発火を起こすと言う様な記事も最近ではよく見かけます。
もちろんそのノイズや電波は、電気製品自体の寿命を皆様が気付かない間にどんどん蝕んでいます。しかし、カレントアームスはこの不必要なノイズや悪電波を取り除く作用も兼ね備えております。【０００３】〔０００２〕でも述べました様に実は、この悪性ノイズや電波は電力会社から送られる電力が十分に届けられないといった現状を作り出していることも事実です。
もちろん距離や家の作りにも関係しますので更に過酷な条件にさらされています。
この様に電気が不足している状況が続くと一般家庭やパソコンなどは無理に電気を昇圧しようと無駄に電気を消耗します。その際多大な熱を発します。するとそれを冷やす為に冷却ファンなどが異常に回転し更に電気を消耗するのです。そこでカレントアームスがそれを解消し省エネをもたらせます。
【発明の効果】
【０００４】パソコンに装着後画像がくっきりしてＤＶＤの字幕のにじみが取れ、画面の切り替わるレスポンスが体感出来る程の効果が現れパソコンのベンチテスト（パソコン性能テストソフト）での数値にも約１割アップを果たしＤＶＤの画像や、音楽ＣＤ等のエンコード（録画、録音機能）の速度アップ等が挙げられる。
【発明を実施するための裁量形態】
家庭電源コンセント交流（１００ボルト〜２００ボルト）からＡＣ−ＤＣコンバーター（交流から直流に電気を変換する装置）によって直流（１２ボルト）に変換された後の配線にしかるべき数値の高品質の電気蓄電装置（コンデンサー）を並列に装着し電気機器の核となる制御部分に直接効果を促すと言う形態である。
2008211959.tif 000002
【図１】
2008211959.tif 000003
【図２】
2008211959.tif 000004
(57)【要約】【課題】  従来の電動リールは巻き上げ機能のみ。糸がスプールから外れ、ギアに巻き込みやすい。スイッチの位置が外側、または中央より後ろにあり、左利き右利きの２パターンのため使いづらい。モーターに水が入りやすい構造。電池は本体の動力のみの機能【解決手段】  本発明は、ＯＮ  ＯＦＦ  ＯＮのスイッチにより釣り糸の下ろしや巻上げ（誘い機能）が可能な構造。釣竿本体の先端にスプールを設計したため、糸がギアに巻き込まない構造。モーターボックスの開発で、モーターから動力を伝える素材としてワイヤーを使用し、ワイヤーの特性を生かして自在に角度を変えて動力を伝えることが可能。さらに、スイッチを装着する空間が確保でき、本体の前方にスイッチを設計することによって、使用者の手の位置が左ききでも右利きでも操作が可能となった。電池は本体の動力と、自動誘い機、リモートコントロール、自動釣り上げ機、モーター制御機能にも及ぶ。【選択図】  図１
2008211978.tif 000002
【特許請求の範囲】
【請求項１】
釣り糸の下ろしや巻き上げ機能が付いたＯＮ  ＯＦＦ  ＯＮスイッチを使用することにより、ピストン運動（手動誘い機能）が可能となった電動リール
【請求項２】
モーターボックスの開発により、モーターから動力を伝える素材としてステンワイヤーを使用し、ワイヤーの特性を生かして自在に角度を変えて動力を伝えることができる。そのため、ＯＮ  ＯＦＦ  ＯＮスイッチの固定位置を、本体の前方に設計したため、使用者が左ききでも右利きでも操作可能となった電動リール
【請求項３】
本体の先端にスプールを取り付ける構造により、糸の巻き込みとクラッシュを防ぐことができ、また、防水可能となった電動リール
【発明の詳細な説明】
【技術分野】
【０００１】
本発明は釣り糸の下ろしや巻上げ機能が付いたＯＮ  ＯＦＦ  ＯＮスイッチを使用することにより、ピストン運動（手動誘い機能）が可能となり、さらに外付けのオプションによってモーター制御、自動誘い機能、リモートコントロール、自動釣り上げ機能が同時に可能となる。また、スプールが釣竿先端に設計したため、糸がギアに巻き込むのを防ぎ、本体全体に水が入りにくい構造となっている。
【背景技術】
【０００２】
従来の電動リールには、動力としてモーターを使い、その起動に連動して自動的に行うクラッチ機能を施したものがある（例えば、特許文献１参照）
【特許文献１】特開平１０−１９１８４４号
【発明の開示】
【発明が解決しようとする課題】
【０００３】
従来の電動リールは巻き上げ機能のみ。
糸がスプールから外れ、ギアに巻き込みやすく、クラッシュしやすい。
ＯＮのみのスイッチの位置が本体のどちらか一方の外側、または本体の中央より、やや後ろよりに取り付けてあるため、右利き左利きの使用者にとっては使いづらい。
防水対応をしていない設計。
全体的に取り付け部品（ＯＮスイッチなど）が本体の外側に取り付けてあるため、内臓になっていない設計
【発明の効果】
【０００４】
ＯＮ  ＯＦＦ  ＯＮスイッチにより釣り糸の下ろしや巻上げ（手動誘い機能）が可能な構造。
釣竿本体の先端にスプールを設計したため、糸がギアに巻き込まない構造。
本体の先端にスプールを取り付け、本体内部のモーターボックスや後部キャップにデルリン材を使用しているため水が入りにくい構造。
モーターボックスの開発で、モーターから動力を伝える素材としてステンワイヤーを使用し、ワイヤーの特性を生かして自在に角度を変えて動力を伝えることが可能。さらに、ＯＮ  ＯＦＦＯＮスイッチを装着する空間が確保でき、本体前方にＯＮ  ＯＦＦ  ＯＮスイッチを固定することによって、左ききでも右利きでも操作が可能となった。
穂先の固定が支持軸の螺子を使用しているため、使用時に離脱しない構造。
ストレート型に設計されているため使用者にとって使いやすい構造。
【実施例１】
【０００５】
図１は、本発明装置の実施例の断面図であって、ＯＮ  ＯＦＦ  ＯＮのスイッチにより、ピストン運動（手動誘い機能）などが操作できる。さらに、ＯＮ  ＯＦＦ  ＯＮスイッチの位置がスプールの後方に設定したため、左利き、右利き両者にとって最適な位置構造。糸の巻き込みやクラッシュを未然に防ぎ、防水機能も搭載。
【図面の簡単な説明】
【０００６】
【図１】電動リールの実施方法を示した説明図である（実施例１）
【符号の説明】
【０００７】
１．穂先根・・・穂先を本体に固定する部材
２．クラッチ・ストッパー・・・スプールの切り離しと、固定
３．シャフト・・・スプールを固定する支持軸
４．スプール・・・糸巻き
５．ギア（大）・・・スプールを回転させるギア
６．ギア（小）・・・ギア（大）に動力を伝えるギア
７．ギア（小）の支持軸・・・ギア（小）を支える軸（ステン螺子）
８・７の固定・・・ギア芯の固定
９・ワイヤー・・・モーターから動力を伝えるワイヤー
１０．ジョイント・・・モーターと９の接続
１１．ボディ・・・アルミ（アルマイト加工）
１２．固定螺子・・・後部キャップの固定螺子
１３．電池接続口・・・電池及びオプション（自動誘い機、モーター制御機、リモートコントロール、の接続
１４．後部キャップ・・・蓋
１５．固定螺子・・・１２と同様
１６．モーター・・・電動モーター
１７．モーターボックス・・・ギアとモーターが入ったボックス
１８．固定螺子・・・スイッチ固定
１９．固定螺子・・・１８と同様
２０．スイッチ・・・ON  OFF  ONの機能を使い、上げ下げが可能となったスイッチ
２１．ガイド・・・本体固定
【図１】
2008211978.tif 000003
(57)【要約】【課題】本発明は、主として無線通信機器にて使用される弾性表面波素子に関して、弾性表面波素子の電気的特性を向上させることを目的とするものである。【解決手段】そして、この目的を達成するために本発明の弾性表面波素子は、圧電体基板１と、この圧電体基板１の表面に設けた櫛型電極２と、前記圧電体基板１の裏面に設けた支持層５を備え、前記支持層５は複数の粒塊６からなる多結晶構造であり、前記粒塊６の表面を酸化させたのである。【選択図】図３
2008211277.tif 000002
【特許請求の範囲】
【請求項１】
圧電体基板と、
この圧電体基板の表面に設けた櫛型電極と、
前記圧電体基板の裏面に設けた支持層を備え、
前記支持層は複数の粒塊からなる多結晶構造であり、前記粒塊の表面を酸化させたことを特徴とする弾性表面波素子。
【発明の詳細な説明】
【技術分野】
【０００１】
本発明は、主として無線通信機器に用いられる弾性表面波素子を構成する弾性表面波素子に関するものである。
【背景技術】
【０００２】
一般にこの種の弾性表面波素子は、圧電体基板上に一対の櫛電極からなる櫛型電極を設けた構造となっているのであるが、圧電体基板の温度特性を低減させる手段として、圧電体基板より線膨張係数の小さく圧電体基板との密着性を有するシリコン等の半導体基板を支持体として貼り合わせた構造が知られている。
【０００３】
なお、この出願の発明に関する先行技術文献情報としては、例えば、特許文献１が知られている。
【特許文献１】特開２００４−９６６７７号公報
【発明の開示】
【発明が解決しようとする課題】
【０００４】
しかしながら、支持体を構成する半導体は高周波的にみて抵抗成分に見えるため圧電体基板を薄くすることで、図４に示されるように櫛型電極１１を構成する一対の櫛電極の間が支持基板を形成する半導体を介して不要な結合をしてしまい、この不要結合が弾性表面波素子の電気的特性を劣化させていた。なお、容量成分１２は櫛電極と支持層とが圧電体基板を介して対向することで形成される結合容量であり、抵抗成分１３は支持体が有する固有の抵抗成分である。
【０００５】
そこで、本発明はこのような問題を解決し電気的特性の優れた弾性表面波素子を提供することを目的とする。
【課題を解決するための手段】
【０００６】
この目的を達成するために本発明は、弾性表面波素子を構成する圧電体基板の裏面に設けられる複数の粒塊からなる多結晶構造であり、粒塊の表面を酸化させたのである。
【発明の効果】
【０００７】
この構成により、支持層が有する抵抗成分を大きくし櫛電極間の不要な結合を抑制でき、結果として弾性表面波素子の電気的特性を向上させることが出来るのである。
【発明を実施するための最良の形態】
【０００８】
以下、本発明の一実施形態について図を用いて説明する。
【０００９】
図１は弾性表面波素子を模式的に示したものであり、その基本構造はタンタル酸リチウムやニオブ酸リチウムなどの圧電体基板１の上面に櫛型電極２を配置した構造を示している。
【００１０】
そして、圧電体基板１の下面には図２に示すごとく、アルミナからなるベース層３とシリコンからなる密着層４から形成した支持層５が、密着層４を接合面として圧電体基板１に接合した構造とし、圧電体基板１と接する支持層５部分つまり密着層４が圧電体基板１より線膨張係数が小さいシリコンで構成しており弾性表面波素子の温度特性を改善した構成となっている。
【００１１】
また、支持層５を形成する密着層４及びベース層３はそれぞれ図３に示すごとく各構成材料の粒塊６により構成しており、これにより弾性表面波素子の支持対の有する抵抗成分による電気的特性の劣化をも抑制しているのである。
【００１２】
すなわち、支持層５において圧電体基板１と当接する密着層４をシリコンからなる多結晶構造とし、この多結晶構造を形成する個々の粒塊６の表面を酸化させることで、密着層４自体の抵抗値が大きくなり、図４で述べた容量成分１２と抵抗成分１３による不要な結合の結合経路のインピーダンスが高インピーダンスとなるため高周波的な結合が小さくなる。つまり、弾性表面波素子の電気的特性の劣化を抑制できるのである。
【００１３】
また、支持体が複数の粒塊６からなる多結晶構造であることから、各粒塊６の表面で櫛型電極２から放射されたバルク波が乱反射し、位相のずれた反射波同士で打ち消しあうようになり、この結果として薄型化に伴う弾性表面波素子の電気的特性の劣化を抑制できるからである。なお、多結晶構造における結晶粒子の大きさを櫛型電極から放射されるバルク波の波長程度に設定することでバルク波の発散性をより高めることが出来る。
【００１４】
また、支持層５を密着層４とベース層３の多層構造とした理由は、密着層４が圧電体基板１との密着性がよく線膨張係数が小さい多結晶構造のシリコンを用いることで弾性表面波素子の温度特性の改善を図り、さらに電気的特性の向上を図ったものであるが、より剛性が高く線膨張係数が小さくシリコンとの密着性を有するアルミナをベース層３として支持層５を多層構造化することにより、さらに温度特性の改善が望めるのである。
【００１５】
さらに、このベース層３を密着層４と同様に多結晶構造としたことで、密着層４を透過したバルク波を密着層４と同様に散乱させることができ電気的特性の劣化もより抑制できるのである。
【００１６】
なお、この一実施形態においては弾性表面波素子として一対の櫛型電極２を用いた模式的な構造を用いて説明したが、櫛型電極２を梯子型に組み合わせたラダー型フィルタや、複数の櫛型電極２を圧電体基板１の伝播方向に配置した縦モード型フィルタ、また、このような弾性表面波フィルタを適宜組み合わせた分波器や共用器といったものが弾性表面波素子として挙げられ同様の作用効果を奏することが出来る。
【産業上の利用可能性】
【００１７】
本発明に係る弾性表面波素子は、温度特性の抑制及び電気的特性を向上できるという効果を有するものであり、主として無線通信機器に用いられる弾性表面波フィルタや弾性表面波デュプレクサなどの弾性表面波素子等において有用となるものである。
【図面の簡単な説明】
【００１８】
【図１】本発明の一実施の形態における弾性表面波素子の斜視図
【図２】同弾性表面波素子の断面図
【図３】同弾性表面波素子の支持層部分を示す詳細図
【図４】従来の弾性表面波素子における不要結合を示す等価回路図
【符号の説明】
【００１９】
１  圧電体基板
２  櫛型電極
３  ベース層
４  密着層
５  支持層
６  粒塊
【図１】
2008211277.tif 000003
【図２】
2008211277.tif 000004
【図３】
2008211277.tif 000005
【図４】
2008211277.tif 000006
(57)【要約】【課題】  従来では小鳥用の野菜を入れておく容器に入っている野菜を小鳥が食いつばんで引っ張る時、その野菜を容器から引き抜いて落としてしまう短所があった。【解決手段】  筒の上部に設け上方に向け先細形態の複数の爪を内側に傾斜させて縁に沿って配列させてなることにより、束になった野菜を外側から押さえつけることができ、野菜を小鳥が食いつばんで引っ張る時、食いつばんだ野菜を食いちぎることはできても引き抜いて落としてしまうのを防止できる。【選択図】      図１
2008048625.tif 000002
【特許請求の範囲】
【請求項１】
鳥かご内の小鳥に野菜を供給する菜っ葉を入れる菜さしにおいて、
筒の上部に設け上方に向け先細形態の複数の爪を内側に傾斜させて縁に沿って配列させてなり該複数の爪をもって野菜を挟持することを特徴とする菜さし。
【請求項２】
該配列が螺旋状であることを特徴とする請求項１記載の菜さし。
【請求項３】
前記先細形態の複数の爪が弾性を有することを特徴とする請求項１記載の菜さし。
【発明の詳細な説明】
【技術分野】
【０００１】
小鳥の食する野菜を束ねた野菜を挟持しておく野菜挟持冶具に係わる。
【背景技術】
【０００２】
従来の菜さしの技術は容器状になっているものだけであり、容器に入っている野菜を小鳥が食いつばんで引っ張る時、その野菜を容器から引き抜いて落としてしまうものしか市場にありません。
先行特許もありませんでした。
【発明の開示】
【発明が解決しようとする課題】
【０００３】
従来では小鳥用の野菜を入れておく容器に入っている野菜を小鳥が食いつばんで引っ張る時、その野菜を容器から引き抜いて落としてしまう短所があった。
【課題を解決するための手段】
【０００４】
本発明の菜さしは筒の上部に設け上方に向け先細形態の複数の爪を内側に傾斜させて縁に沿って配列させ、該複数の爪をもって野菜を挟持することを特徴とする。
【０００５】
該配列が螺旋状であることを特徴とする。
【０００６】
先細形態の複数の爪が弾性を有することを特徴とする。
【発明の効果】
【０００７】
本発明の菜さしは筒の上部に設け上方に向け先細形態の複数の爪を内側に傾斜させて縁に沿って配列させてなることにより束になった野菜を外側から押さえつけることができ、野菜を小鳥が食いつばんで引っ張る時、食いつばんだ野菜を食いちぎることはできても引き抜いて落としてしまうのを防止しやすい。
【０００８】
該複数の爪が螺旋状に配列されてなることにより野菜を菜さしの下方から挿入し、指で野菜を複数の爪２の螺旋に沿って上方向に野菜が移動するように束ねた野菜を指で摘んで回して野菜を菜さしの上に突出させ束ねた野菜をしっかりと挟持することができる。
【０００９】
先細形態の複数の爪が弾性を有することにより野菜の量の多少の多い少ないにかかわらず略一定の押し圧にて複数の爪が野菜を周囲から押し圧することができ、鳥が野菜を食いつばんで引っ張っても食いちぎることはできても野菜が引き抜かれて抜け落ちることをより防止しやすくなる。
【発明を実施するための最良の形態】
【００１０】
本発明の実施例を各図を参照して説明する。
【実施例１】
【００１１】
本発明は各図に描画しているように、筒１の上部に設け野菜２を挟持する上方に向け先細形態の複数の爪３を内側に傾斜させて縁に沿って配列させてなり、更に、複数の爪３が螺旋状に配列されてなり、また、先細形態の複数の爪が弾性を有する構成としてなる。
【００１２】
筒は樹脂あるいはステンレスなどから構成してもよい。
【００１３】
また、一対の支持冶具４により鳥かごに引っ掛けて筒１を設置する。
【００１４】
野菜は通常水に浸っていなくとも数日間はしなびたりしない。その期間内に小鳥は野菜を食べ尽くしてしまう。よって、筒を従来のように水につけておく桶状あるいは小さなコップ状にしなくともよい。
【００１５】
コップ状にするとむしろ底にカビが生えたり、数日おきに底を洗わなければならないが、底の縁の部分に溜まったカビなどの汚れは簡単には洗い落とせない短所を有している。
【産業上の利用可能性】
【００１６】
小鳥を鳥かごで飼う場合、買主が小鳥に野菜を与えるときに筒状の前記筒１を鳥かごから取り出し、野菜を該筒の下から挿入し、複数の爪２の螺旋に沿って上方向に野菜が移動する方向に指で束ねた野菜を回して野菜を菜さしの上に突出させることが容易となり、野菜も鳥が食いつばんで引っ張っても引き抜かれず、食いちぎれても下に落ちてしまうことがないことから、使い勝手が良く市場における拡販が期待できる。
【図面の簡単な説明】
【００１７】
【図１】外観略図
【符号の説明】
【００１８】
１  筒
２  野菜
３  爪
４  支持冶具
【図１】
2008048625.tif 000003
【手続補正書】
【提出日】平成18年11月7日(2006.11.7)
【手続補正１】
【補正対象書類名】特許請求の範囲
【補正対象項目名】全文
【補正方法】変更
【補正の内容】
【特許請求の範囲】
【請求項１】
鳥かご内の小鳥に野菜を供給する菜っ葉を入れる菜さしにおいて
筒の上部に設け上方に向け先細形態の複数の爪を内側に傾斜させて縁に沿って配列させてなり該複数の爪を有し、該配列が螺旋状であることを特徴とする菜さし。